(57)【要約】【課題】電波信号を通じて検出可能な緊急信号を、位置によらず、受信できるようにすることを目的とする。【解決手段】緊急信号を検出可能な情報処理装置であって、当該情報処理装置の現在位置を表す位置情報を取得する第一取得部と、前記第一取得部の取得した位置情報を用いて放送局を選択する選択部と、前記選択部の選択した放送局の周波数の電波信号を受信する受信部と、前記受信部の受信した電波信号を復調した音響信号を出力する第一出力部と、を有する情報処理装置を提供する。【選択図】図４
2015062111.tif 000002
【特許請求の範囲】
【請求項１】
緊急信号を検出可能な情報処理装置であって、
当該情報処理装置の現在位置を表す位置情報を取得する第一取得部と、
前記第一取得部の取得した位置情報を用いて放送局を選択する選択部と、
前記選択部の選択した放送局の周波数の電波信号を受信する受信部と、
前記受信部の受信した電波信号を復調した音響信号を出力する第一出力部と、
を有する、情報処理装置。
【請求項２】
前記第一出力部から出力される前記音響信号の出力音量を調整する調整部と、
前記音響信号に含まれる前記緊急信号を検出する緊急信号検出部と、を有し、
前記調整部は、
前記緊急信号が検出されたとき、前記第一出力部から前記緊急信号が検出されないときよりも大きい音量で前記緊急信号を出力させる請求項１記載の情報処理装置。
【請求項３】
前記位置情報の示す位置と、前記放送局の位置との間の距離を算出する算出部
をさらに有し、
前記選択部は、前記距離が最小となる放送局を選択する、
請求項２に記載の情報処理装置。
【請求項４】
受信中の電波放送の信号対雑音比を取得する第二取得部
をさらに有し、
前記選択部は、前記第二取得部の取得した信号対雑音比が閾値より小さい場合には、前記信号対雑音比が閾値以上であり、かつ、前記距離が最小となる、他の放送局を選択する、
請求項３に記載の情報処理装置。
【請求項５】
前記選択部が選択した放送局の名称及び／又は周波数を出力する第二出力部
をさらに有する、請求項４に記載の情報処理装置。
【請求項６】
前記第二出力部は、前記信号対雑音比が閾値以上となる放送局が存在しない場合に、その旨を出力する、
請求項５に記載の情報処理装置。
【請求項７】
前記第二出力部は、前記受信部が受信中の電波放送の信号対雑音比が閾値より小さくなった場合に、その旨を出力する、
請求項５に記載の情報処理装置。
【請求項８】
前記調整部は、前記選択部が放送局を選択した後に、一定時間、前記第一出力部の出力音量を前記放送局が選択される前よりも大きくする、
請求項２乃至７何れか一項に記載の情報処理装置。
【請求項９】
前記第一取得部は、ＧＰＳ衛星又はＩＭＥＳ送信機から送信された測位信号を用いて位置情報を取得する、
請求項１乃至８何れか一項に記載の情報処理装置。
【請求項１０】
前記選択部は、当該情報処理装置の現在位置を表す前記位置情報を情報提供装置に送信し、前記位置情報の示す位置に応じた放送局の候補の情報を受信する、
請求項１乃至９何れか一項に記載の情報処理装置。
【請求項１１】
緊急信号を検出可能な情報処理装置が実行する方法であって、
当該情報処理装置の現在位置を表す位置情報を取得する第一取得段階と、
前記第一取得段階において取得した位置情報を用いて放送局を選択する選択段階と、
前記選択段階において選択した放送局の周波数の電波信号を受信する受信段階と、
を有する、方法。
【請求項１２】
緊急信号を検出可能な情報処理装置と、該情報処理装置と通信可能な情報提供装置を含む情報処理システムであって、
前記情報処理装置は、
前記情報処理装置の現在位置を表す位置情報を取得する第一取得部と、
前記第一取得部の取得した前記位置情報を前記情報提供装置へ送信する第一送信部と、
前記第一取得部の取得した位置情報を用いて放送局を選択する選択部と、
前記選択部の選択した放送局の周波数の電波信号を受信する受信部と、
前記受信部の受信した電波信号を復調した音響信号を出力する第一出力部と、
を有し、
前記情報提供装置は、
前記第一送信部から受信した前記位置情報に基づいて生成された放送局の候補を示す情報を前記情報処理装置に送信する第二送信部
を有する、情報処理システム。
【発明の詳細な説明】
【技術分野】
【０００１】
本発明は、情報処理装置、方法及び情報処理システムに関する。
【背景技術】
【０００２】
ＦＭラジオ等の電波放送を通じて送信される、緊急地震速報や緊急警報放送のような、緊急信号を検出し、緊急信号が送信された旨をユーザに通知する装置が知られている。この装置は、電波放送を最小音量で受信し続け、電波放送内で、緊急信号を示す特有の警報音を検出すると、音量を一定音量まで増大させ、緊急信号が発信されたことを知らせる。既に市販されている装置は、質量が５００グラム以下のものもあり、ユーザは、旅行や出張などの際に、この装置を携行することが可能である。
【０００３】
例えば、特許文献１には、ユーザによって予め設定されたＦＭラジオ放送局からの電波放送内で、緊急地震速報信号を検出すると、音量を所定のレベルまで増大させ、チャイム音を再生する装置が開示されている。
【発明の概要】
【発明が解決しようとする課題】
【０００４】
しかしながら、従来の方法では、緊急信号を検出可能な装置を所持したユーザが、予め設定した放送局の受信可能範囲から離脱してしまうと、緊急信号を受信できなくなってしまうという問題点があった。
【０００５】
本発明は、このような問題に鑑みてなされたものであり、電波信号を通じて検出可能な緊急信号を、位置によらず、受信できるようにすることを目的とする。
【課題を解決するための手段】
【０００６】
上述した課題を解決し目的を達成するため、本発明の一実施形態における情報処理装置は、
緊急信号を検出可能な情報処理装置であって、
当該情報処理装置の現在位置を表す位置情報を取得する第一取得部と、
前記第一取得部の取得した位置情報を用いて放送局を選択する選択部と、
前記選択部の選択した放送局の周波数の電波信号を受信する受信部と、
前記受信部の受信した電波信号を復調した音響信号を出力する第一出力部と、
を有する。
【発明の効果】
【０００７】
本発明によれば、電波信号を通じて検出可能な緊急信号を、位置によらず、受信できる。
【図面の簡単な説明】
【０００８】
【図１】本発明の全体構成を表す概略図。
【図２】本発明の一実施形態における情報処理装置のハードウェア構成図。
【図３】本発明の一実施形態における情報処理装置のハードウェア構成図。
【図４】本発明の一実施形態における情報処理装置の機能ブロック図。
【図５】放送局リストの例を表す図。
【図６】放送局の位置の例を表す図。
【図７】情報処理装置の処理を表すフローチャート。
【図８】情報処理装置の処理を表すフローチャート。
【図９】情報処理装置の動作例を表すシーケンス図。
【図１０】本発明の一実施形態における情報処理装置及び通信端末の機能ブロック図。
【図１１】情報処理装置及び通信端末の動作例を表すシーケンス図。
【図１２】本発明の一実施形態における情報処理システムの機能ブロック図。
【図１３】情報処理装置の処理を表すフローチャート。
【図１４】情報処理システムの動作例を表すシーケンス図。
【発明を実施するための形態】
【０００９】
以下、本発明の実施形態を図面に基づいて説明する。
【００１０】
１．概要
２．ハードウェア構成
２．１  地震速報装置の例
２．２  携帯電話の例
３．機能
４．動作例
４．１  情報処理装置の処理フロー（移動直後）
４．２  情報処理装置の処理フロー（移動なし）
４．３  情報処理装置の動作シーケンス
５．変形例１
５．１  ハードウェア構成
５．２  機能
５．３  動作例
６．変形例２
６．１  ハードウェア構成
６．２  機能
６．３  動作例
【００１１】
（１．概要）
図１は、本発明の一実施形態における情報処理装置１００の概要を示す。図１には、二つの形態の情報処理装置が示されている。一つは、ラジオのような専用の筐体に格納された情報処理装置１００Ａであり、もう一つは、携帯電話である情報処理装置１００Ｂである。
【００１２】
情報処理装置１００は、例えばＦＭラジオやテレビの電波を放送局６００より受信し、その電波放送において配信される、緊急地震速報や緊急警報放送のような緊急信号を検出することができる。また、情報処理装置１００は、ＧＰＳ衛星や、ＩＭＥＳ（Indoor Messaging System）規格に準ずる信号を送信する送信機から送信された測位信号を受信し、自らの現在位置を表す位置情報を取得することができる。位置情報は、例えば、緯度及び経度の情報を含む。
【００１３】
情報処理装置１００は、放送局６００のリストを有している。このリストには、放送局６００の設置された位置を表す位置情報（緯度、経度）と、放送局のチャンネル（周波数）情報が含まれる。情報処理装置１００は、取得された現在の位置情報に基づき、現在の位置から各放送局６００までの距離を計算し、近くにある放送局６００にチャンネルを合わせて、電波放送を受信する。そして、情報処理装置１００は、緊急信号として固有のアラーム音を検出すると、その音量を拡大して、緊急信号を受信したことをユーザに知らせる。
【００１４】
図１では、始めに屋内に位置する情報処理装置１００Ａ、１００Ｂが、屋内の天井等に設置されたＩＭＥＳ送信機から測位信号を受信し、位置情報（緯度「ｘ１」、経度「ｙ１」）を取得する。そして、情報処理装置は、その位置と最も近い位置（緯度「ｘ１'」、経度「ｙ１'」）にある放送局６００−１を選局する。一方、情報処理装置が、屋外へと移動し、ＧＰＳ衛星から送信される測位信号を用いて、現在の位置情報（緯度「ｘ２」、経度「ｙ２」）を算出すると、その位置と最も近い位置（緯度「ｘ２'」、経度「ｙ２'」）にある放送局６００−２を選局する。このような動作により、情報処理装置１００は、現在位置に近い放送局より緊急信号を受信し、緊急信号が受信されたことをユーザに知らせることができる。
【００１５】
（２．ハードウェア構成）
次に、図２、図３を用いて、本発明の一実施形態における情報処理装置１００Ａ、１００Ｂのハードウェア構成を説明する。
【００１６】
（２．１  地震速報装置の例）
図２は、情報処理装置が地震速報装置である場合の、ハードウェア構成例である。情報処理装置１００Ａは、ＣＰＵ１１と、ＲＡＭ１２と、ＲＯＭ１３と、電波放送受信装置１４と、測位信号受信装置１５とを有する。
【００１７】
ＣＰＵ１１は、情報処理装置１００Ａの動作制御を行うプログラムを実行する。ＲＡＭ１２は、ＣＰＵ１１のワークエリアを構成する。ＲＯＭ１３は、情報処理装置１００Ａのシステムプログラムや、放送局のリスト等を記憶する。電波放送受信装置１４は、音響信号に変調された、短波、中波、超短波等の電波を復調することにより、電波放送を受信する。測位信号受信装置１５は、ＧＰＳ衛星又はＩＭＥＳ送信機から送信された測位信号を受信し、緯度及び経度を取得する装置である。バス１６は、上記装置を電気的に接続する。
【００１８】
上記構成により、本発明の一実施形態における情報処理装置１００Ａは、近くにある放送局を自動的に選局し、緊急信号が発信された場合に、その旨をユーザに通知することができる。なお、情報処理装置１００Ａは、文字や数字を表示するための液晶ディスプレイや、音声を出力するためのスピーカや、音量を調整するための操作ボタンを備えていてもよい。
【００１９】
（２．２  携帯電話の例）
図２は、情報処理装置が、スマートフォンに代表される、携帯電話である場合の、ハードウェア構成例である。情報処理装置１００Ｂは、ＣＰＵ２１と、ＲＡＭ２２と、ＲＯＭ２３と、電波放送受信装置２４と、測位信号受信装置２５と、無線通信装置２６と、タッチパネル２７とを有する。
【００２０】
ＣＰＵ２１は、情報処理装置１００Ｂの動作制御を行うプログラムを実行する。ＲＡＭ２２は、ＣＰＵ２１のワークエリアを構成する。ＲＯＭ２３は、情報処理装置１００Ｂのシステムプログラムや、放送局のリスト等を記憶する。電波放送受信装置２４は、音響信号に変調された、短波、中波、超短波等の電波を復調することにより、電波放送を受信する。測位信号受信装置２５は、ＧＰＳ衛星又はＩＭＥＳ送信機から送信された測位信号を受信し、緯度及び経度を取得する装置である。無線通信装置２６は、例えば、３Ｇ若しくは４Ｇネットワーク、又は、無線ＬＡＮ等を通じて、外部の装置と通信する装置である。タッチパネル２７は、液晶パネルのような表示装置とタッチパッドのような位置入力装置を組み合わせた電子部品であり、画面上の表示を押すことによるユーザの操作入力を受け付ける装置である。バス２８は、上記装置を電気的に接続する。
【００２１】
上記構成により、本発明の一実施形態における情報処理装置１００Ｂは、ユーザが所持する携帯電話を通じて、緊急信号が発信された旨をユーザに通知することができる。なお、情報処理装置１００Ｂは、音声を出力するためのスピーカや、ユーザからの入力を受け付ける操作ボタンを備えていてもよい。
【００２２】
（３．機能）
次に、図４を用いて、本発明の一実施形態における情報処理装置１００の機能ブロックを説明する。図４には、これらの装置が備える様々な要素のうち、本実施形態の説明に特に関連する要素が示されている。
【００２３】
本発明の一実施形態における情報処理装置１００は、放送局リスト記憶部１０１と、位置情報取得部１０２と、放送局選択部１０３と、距離算出部１０４と、受信品質取得部１０５と、電波放送受信部１０６と、電波放送出力部１０７と、情報出力部１０８と、緊急信号検出部１０９と、音量調整部１１０と、入力部１１１を有する。
【００２４】
放送局リスト記憶部１０１は、図２に示されるＲＯＭ１３（あるいは、図３に示されるＲＯＭ２３）により実現され、放送局のリストである放送局リストを記憶する。図５は、放送局リストの例である。放送局リストは、以下の項目を含む。
−都道府県名          ：放送局のある都道府県
−放送局名            ：放送局に付された名前
−周波数              ：放送局の送信する電波の周波数帯（チャンネル）
−位置情報（緯度、経度）：放送局の位置
なお、図６は、図５に例示される８つの放送局の位置を、実際の地図上に表示したものである。また、放送局リストは、予め情報処理装置１００に記憶されていることが好ましいが、必要に応じて、ネットワークを介して、外部のサーバ等から取得されてもよい。
【００２５】
位置情報取得部１０２は、図２に示されるＣＰＵ１１及び測位信号受信装置１５（図３に示されるＣＰＵ２１及び測位信号受信装置２５）の処理により実現される。位置情報取得部１０２は、ＧＰＳ衛星又はＩＭＥＳ送信機から送信された測位信号を受信し、情報処理装置１００の現在位置を表す位置情報（緯度及び経度）を取得する。位置情報取得部１０２は、取得した位置情報を、放送局選択部１０３に渡す。なお、位置情報取得部１０２は、任意のタイミングで、繰り返し、位置情報を取得してもよい。
【００２６】
放送局選択部１０３は、図２に示されるＣＰＵ１１及び電波放送受信装置１４（図３に示されるＣＰＵ２１及び電波放送受信装置２４）の処理により実現され、位置情報取得部１０２から受け取った位置情報を用いて、条件を満たす放送局を選択し、その放送局の周波数を、電波放送受信部１０６に渡す。
【００２７】
具体的には、放送局選択部１０３は、位置情報取得部１０２から位置情報を受け取ると、放送局リスト記憶部１０１に記憶された放送局リストを読み込む。次に、放送局選択部１０３は、受け取った位置情報が示す緯度、経度から、所定の範囲内（例えば、緯度±０．５度、経度±０．５度）にある放送局を特定する。次に、放送局選択部１０３は、現在の位置情報と、特定した放送局の位置情報を、距離算出部１０４に渡し、現在の位置から、特定した各放送局までの距離を取得する。次に、放送局選択部１０３は、各放送局までの距離を比較し、距離（値）の短い順（現在位置から近い順）に、所定の個数の放送局を、候補として選定する。そして、放送局選択部１０３は、候補となった放送局のうち、最も順位の高い放送局（すなわち、最も現在の位置に近い放送局）を選択し、その周波数を、電波放送受信部１０６に渡す。
【００２８】
また、放送局選択部１０３は、受信品質取得部１０５から、現在選択している放送局から受信される電波信号の信号対雑音比を取得し、その信号対雑音比が、所定の閾値より小さいとき、候補のうち、次の順位の放送局の周波数を、電波放送受信部１０６に渡す。このようにして、放送局選択部１０３は、候補として選定された放送局を、現在位置から近い順に順次選択していき、信号対雑音比が閾値以上となる放送局を選択する。
【００２９】
また、放送局選択部１０３は、候補として選定された放送局全ての信号対雑音比が閾値より小さいとき、放送局を選択できなかった旨を表すメッセージを、情報出力部１０８に出力させる。
【００３０】
また、放送局選択部１０３は、放送局を選択して放送を出力中に、移動等による位置情報の変化がないにも関わらず、何らかの要因で信号対雑音比が閾値を下回った場合に、音量調整部１１０に、一定時間、音量を引き上げるよう指示する。そして、放送局選択部１０３は、その旨を表すメッセージを、情報出力部１０８に出力させる。これにより、ユーザは、選択された放送局から、一定品質以上の放送電波が受信できていないことを知ることができる。
【００３１】
距離算出部１０４は、図２に示されるＣＰＵ１１（図３に示されるＣＰＵ２１）の処理により実現される。距離算出部１０４は、放送局選択部１０３から受け取った、情報処理装置の現在位置を表す位置情報と、各放送局の位置を表す位置情報とを用いて、現在位置と各放送局との間の距離を算出する。距離算出部１０４は、算出した、各放送局までの距離を、放送局選択部１０３に渡す。なお、距離算出部１０４は、例えば、現在の位置情報（ｘ１，ｙ１）と放送局の位置情報（ｘ１'、ｙ１'）との間の距離を、以下の式によって求まる値を用いて表現しても良い。
（ｘ１'−ｘ１）＾２＋（ｙ１'−ｙ１）＾２  （＾２は二乗を表す）
なお、この例に限られず、二地点間の距離を求める任意の方法が用いられ得る。
【００３２】
受信品質取得部１０５は、図２に示されるＣＰＵ１１及び電波放送受信装置１４（図３に示されるＣＰＵ２１及び電波放送受信装置２４）の処理により実現され、電波放送受信部１０６が受信中の電波放送に係る信号対雑音比（Ｓ／Ｎ比）を取得する。受信品質取得部１０５は、取得した信号対雑音比を、放送局選択部１０３に渡す。
【００３３】
電波放送受信部１０６は、図２に示されるＣＰＵ１１及び電波放送受信装置１４（図３に示されるＣＰＵ２１及び電波放送受信装置２４）の処理により実現される。電波放送受信部１０６は、放送局選択部１０３から受け取った周波数の電波（電波信号）を受信し、電波信号を復調することにより、音響信号を取得する。電波放送受信部１０６は、取得した音響信号を、電波放送出力部１０７に渡す。
【００３４】
電波放送出力部１０７は、図２に示されるＣＰＵ１１（図３に示されるＣＰＵ２１）の処理により実現され、電波放送受信部１０６の取得した音響信号を、音声として出力する。なお、電波放送出力部１０７は、音量調整部１１０から渡される出力音量値に応じて、音声の出力音量を変化させる。
【００３５】
情報出力部１０８は、図示しない表示装置（図３に示されるタッチパネル２７）の処理により実現され、放送局選択部１０３が選択した放送局の名称及び／又は周波数を、画面上に、あるいは、音声により出力する。また、情報出力部１０８は、放送局選択部１０３から受け取ったメッセージを、画面上に、あるいは、音声により出力する。
【００３６】
緊急信号検出部１０９は、図２に示されるＣＰＵ１１（図３に示されるＣＰＵ２１）の処理により実現され、電波放送受信部１０６により復調された音響信号に、既知の緊急信号のアラーム音が含まれるか監視する。緊急信号検出部１０９は、緊急信号のアラーム音が含まれることを検出すると、その旨を音量調整部１１０に通知する。
【００３７】
音量調整部１１０は、図２に示されるＣＰＵ１１（図３に示されるＣＰＵ２１）の処理により実現され、緊急信号が検出されている場合、及び、放送局選択部１０３による指示がない場合、最低レベルの出力音量値を、電波放送出力部１０７に渡す。一方、音量調整部１１０は、緊急信号検出部１０９から、音響信号に緊急信号のアラーム音が含まれている旨の通知を受け取ると、所定のレベルの音量を出力させる出力音量値を、電波放送出力部１０７に渡す。所定のレベルは、ユーザによって、予め設定されるが、緊急信号を通知するため、ある程度大きな音を出力させる出力音量値が設定されることが好ましい。
【００３８】
また、音量調整部１１０は、放送局選択部１０３からの指示に応じて、出力音量を所定のレベル（但し、緊急信号受信時のレベルよりは低くても良い）まで引き上げる。
【００３９】
また、音量調整部１１０は、入力部１１１から受け取った入力に応じて、電波放送出力部の出力音量を調整する。
【００４０】
入力部１１１は、図示しない操作ボタン（図３に示されるタッチパネル２７）の処理により実現され、ユーザから出力音量についての入力を受け付け、その入力を音量調整部１１０に渡す。
【００４１】
以上の機能により、本実施形態における情報処理装置は、現在位置に近く、かつ、一定の通信品質を満たす放送局を自動的に選択し、緊急信号が受信されたことをユーザに通知することができる。その結果、ユーザは、自分が移動する移動先の放送局の周波数の情報を意識することなく、緊急信号の通知を受けることができるようになる。
【００４２】
さらに本実施形態では、音響信号に含まれる緊急信号を検出すると、音量を上げて緊急信号のアラーム音を出力する。したがって、本実施形態では、ユーザに緊急信号の通知を受けたことに気付かせることができる。
【００４３】
緊急信号を検出した際の音量は、例えば情報処理装置１００において設定可能な最大音量に設定されていても良いし、緊急信号を検出したときに設定されていた音量よりも大きくなるように設定されていても良い。また、緊急信号を検出した際に、音量が所定レベルよりも大きく設定されていた場合には、音量の設定を維持しても良い。  
【００４４】
（４．動作例）
次に、図７−図９を用いて、情報処理装置１００の動作例を説明する。
【００４５】
（４．１  情報処理装置の処理フロー（移動直後））
図７は、本実施形態における情報処理装置１００が、ユーザによって移動された後に、新たな位置情報を用いて、放送局を選択する処理のフローチャートである。
【００４６】
まず、位置情報取得部１０２は、ＧＰＳ衛星又はＩＭＥＳ送信機等から送信された測位信号により、情報処理装置１００の現在位置を表す位置情報を取得する（ステップＳ１０１）。次に、放送局選択部１０３は、放送局リスト記憶部１０１に記憶された放送局リスト（図５）を読み込む（ステップＳ１０２）。そして、放送局選択部１０３は、ステップＳ１０１で取得された位置情報が示す緯度、経度から、所定の範囲内にある放送局を特定する（ステップＳ１０３）。
【００４７】
次に、距離算出部１０４は、ステップＳ１０１で取得された位置情報の示す現在位置と、ステップＳ１０３で特定された各放送局の位置との間の距離をそれぞれ算出する（ステップＳ１０４）。放送局選択部１０３は、現在位置から、ステップＳ１０３で特定された各放送局までの距離を比較し、距離の短い順に、所定の個数の放送局を、候補として選定する（ステップＳ１０５）。そして、放送局選択部１０３は、まず、候補として選定された放送局のうち、最も順位の高い放送局（すなわち、最も現在の位置に近い放送局）を選択する（ステップＳ１０６）。
【００４８】
ここで、ステップＳ１０６で選択された放送局が、現在、電波放送受信部１０６で受信中の放送局である場合には（ステップＳ１０７のＹＥＳ）、特に処理を行わず、処理を終了する。一方、ステップＳ１０６で選択された放送局が、現在受信中の放送局でない場合には（ステップＳ１０７のＮＯ）、電波放送受信部１０６は、新たに選択された放送局の周波数を用いて、電波放送を受信する（ステップＳ１０８）。
【００４９】
次に、受信品質取得部１０５が取得した、電波放送の信号対雑音比が閾値以上である場合には（ステップＳ１０９のＹＥＳ）、放送局選択部１０３は、電波放送出力部１０７に、そのまま電波放送を出力させる（ステップＳ１１０）。そして、放送局選択部１０３は、受信中の放送局の放送局名及び／又は周波数を、情報出力部１０８に出力させる（ステップＳ１１１）。なお、ステップＳ１１０において出力される電波放送の出力音量は、ユーザに聞こえるよう、一定のレベルまで一時的に引き上げられてもよい。
【００５０】
一方、電波放送の信号対雑音比が閾値より小さい場合であって（ステップＳ１０９のＮＯ）、かつ、ステップＳ１０５で選定した候補全てを試した場合には（ステップＳ１１２のＹＥＳ）、放送局選択部１０３は、放送局を選択できなかった旨を表すメッセージを、情報出力部１０８に出力させる（ステップＳ１１３）。また、電波放送の信号対雑音比が閾値より小さい場合であって（ステップＳ１０９のＮＯ）、かつ、ステップＳ１０５で選定した候補全てを試していない場合には（ステップＳ１１２のＮＯ）、放送局選択部１０３は、ステップＳ１０５で選定した候補のうち、次に順位の高い放送局を選択する（ステップＳ１１４）。そして、再度、ステップＳ１０８が実行される。
【００５１】
以上の処理によって、本実施形態における情報処理装置は、移動先においても自動的に適切な放送局を選択し、緊急信号をユーザに通知することができる。
【００５２】
（４．２  情報処理装置の処理フロー（移動なし））
図８は、本実施形態における情報処理装置１００が移動していない間の処理のフローチャートである。
【００５３】
まず、電波放送受信部１０６が、図７に示された処理に従って選択された放送局から、電波放送を受信する（ステップＳ２０１）。次に、受信品質取得部１０５が取得した、電波放送の信号対雑音比が閾値以上である場合には（ステップＳ２０２のＹＥＳ）、放送局選択部１０３は、電波放送出力部１０７に、そのまま電波放送を出力させる（ステップＳ２０３）。
【００５４】
一方、受信した電波放送の信号対雑音比が閾値より小さい場合には（ステップＳ２０２のＮＯ）、放送局選択部１０３は、音量調整部１１０に、一定時間、出力音量値を所定のレベル（但し、警報信号発信時のレベルよりは低くても良い）まで引き上げるように指示する（ステップＳ２０４）。次に、電波放送出力部１０７は、音量調整部１１０から受け取った出力音量値で、電波放送を出力する（ステップＳ２０５）。次に、放送局選択部１０３は、情報出力部１０８に、電波の受信品質が低下した旨を表すメッセージを出力させる（ステップＳ２０６）。
【００５５】
以上の処理により、ユーザは、同一地点における環境の変化により、電波放送の受信品質が低下していることを知ることができる。
【００５６】
（４．３  情報処理装置の動作シーケンス）
図９は、本実施形態における情報処理装置１００の動作例を表すシーケンス図である。ここでは、放送局「肥後小国」（図５及び図６参照）から電波放送を受信中の情報処理装置１００が、緯度「３２．９５００」、経度「１３１．１２３０」の地点（図６の星印の位置）に移動した場合の例を説明する。
【００５７】
まず、位置情報取得部１０２は、ＧＰＳ衛星又はＩＭＥＳ送信機等から取得した現在の位置を表す位置情報（緯度「３２．９５００」、経度「１３１．１２３０」）を、放送局選択部１０３に渡す（ステップＳ３０１）。次に、放送局選択部１０３は、放送局リスト記憶部１０１に記憶された放送局リスト（図５）を読み込む（ステップＳ３０２）。そして、放送局選択部１０３は、ステップＳ３０１で取得された位置情報が示す緯度、経度から、所定の範囲内（例えば、緯度±０．２度、経度±０．２度）にある放送局を特定する（ステップＳ３０３）。ここでは、緯度が「３２．７５００〜３３．１５００」、経度が「１３０．９２３０〜１３１３２３０」の範囲にある、以下の放送局が特定される。
−肥後小国：緯度３３．１１８２、経度１３１．０７０５
−阿蘇    ：緯度３２．９４８５、経度１３１．１２３３
−蘇陽    ：緯度３２．８５１５、経度１３１．１４２４
次に、放送局選択部１０３は、ステップＳ３０１で受け取った現在位置を表す位置情報と、ステップＳ３０３で特定した放送局の位置を表す位置情報を、距離算出部１０４に渡す（ステップＳ３０４）。距離算出部１０４は、例えば、現在位置を表す位置情報と、各放送局の位置を表す位置情報との、緯度差の２乗と、経度差の２乗とを足し合わせた値を、距離を表す値として算出する（ステップＳ３０５）。ここでは、各放送局に対して、以下の値が算出される（小数点第四位四捨五入）。
−肥後小国：０．０３１
−阿蘇    ：０．０００
−蘇陽    ：０．０１０
距離算出部１０４は、算出したこれらの値を、放送局選択部１０３に返す（ステップＳ３０６）。
【００５８】
放送局選択部１０３は、ステップＳ３０６で受け取った、各放送局までの距離を比較し、距離の短い順（現在位置から近い順）に、所定の個数（例えば、最大５個とする）の放送局を、放送局の候補として選定する（ステップＳ３０７）。ここで、選定された放送局の候補は、以下の通りである。
１．  阿蘇
２．  蘇陽
３．  肥後小国
そして、放送局選択部１０３は、候補の放送局のうち、最も順位の高い放送局である、「阿蘇」を選択し（ステップＳ３０８）、その周波数である「８６．３ＭＨｚ」を、電波放送受信部１０６に渡す（ステップＳ３０９）。
【００５９】
電波放送受信部１０６は、ステップＳ３０９で受け取った周波数を用いて、「阿蘇」放送局からの電波放送を受信する（ステップＳ３１０）。受信品質取得部１０５は、電波放送受信部１０６で受信される信号の信号対雑音比を取得する（ステップＳ３１１）。ここでは、信号対雑音比が「３５ｄｂ」であるものとする。
【００６０】
放送局選択部１０３は、受信品質取得部１０５から、ステップＳ３１１で取得された信号対雑音比「３５ｄｂ」を取得する（ステップＳ３１２）。ここで、その信号対雑音比が、所定の閾値「４０ｄｂ」より小さいため、選定していた候補のうち、次の順位の放送局「蘇陽」の周波数「８６．８ＭＨｚ」を、電波放送受信部１０６に渡す（ステップＳ３１４）。
【００６１】
電波放送受信部１０６は、ステップＳ３１４で受け取った周波数を用いて、「蘇陽」放送局からの電波放送を受信する（ステップＳ３１５）。受信品質取得部１０５は、電波放送受信部１０６で受信される信号の信号対雑音比を取得する（ステップＳ３１６）。ここでは、信号対雑音比が「５０ｄｂ」であるものとする。
【００６２】
放送局選択部１０３は、受信品質取得部１０５から、ステップＳ３１６で取得された信号対雑音比「５０ｄｂ」を取得する（ステップＳ３１７）。ここで、その信号対雑音比が、所定の閾値「４０ｄｂ」以上であるため、現在受信中の電波放送を出力するよう、電波放送出力部１０７に指示する（ステップＳ３１８）。
【００６３】
電波放送出力部１０７は、この指示を受けて、電波放送受信部１０６が受信している電波放送から取得された、音響信号を受け取る（ステップＳ３１９）。そして、音量調整部１１０から出力音量を取得し（ステップＳ３２０）、その出力音量で、音響信号を外部に出力する（ステップＳ３２１）。
【００６４】
一方、放送局選択部１０３は、情報出力部１０８に、選択した放送局の放送局名「蘇陽」と、その周波数「８６．８ＭＨｚ」を出力するよう、指示する（ステップＳ３２２）。情報出力部１０８は、この指示に応じて、放送局名と周波数を、例えば、タッチパネル等に出力する（ステップＳ３２３）。
【００６５】
以上の動作により、本実施形態における情報処理装置は、位置と電波品質に応じて、適切な放送局を選択し、緊急信号を受信することができる。
【００６６】
（５．  変形例１）
次に、図１０、図１１を用いて、上述した例とは異なる実施形態を説明する。本実施形態における情報処理装置１００Ｃ、１００Ｄは、別個の装置である通信端末２００から、無線通信により、位置情報を取得する。情報処理装置１００Ｃは、上述した情報処理装置１００Ａ（地震速報装置）に対応し、情報処理装置１００Ｄは、上述した情報処理装置１００Ｂ（携帯電話）に対応する。情報処理装置１００Ｃ、１００Ｄは、通信端末２００と共に携帯されることで、ユーザに対して、緊急信号を通知することができる。
【００６７】
（５．１  ハードウェア構成）
本実施形態における情報処理装置１００Ｃは、図２で示した情報処理装置１００Ａと同様のハードウェア構成を有するが、測位信号受信装置１５を備えていない。また、本実施形態における情報処理装置１００Ｄは、図３で示した情報処理装置１００Ｂと同様のハードウェア構成を有するが、測位信号受信装置２５を備えていない。一方で、本実施形態における情報処理装置１００Ｃ、１００Ｄは、通信端末２００と通信するため、例えばＢｌｕｅｔｏｏｔｈ（登録商標）やＺｉｇＢｅｅ（登録商標）のような、無線通信装置を有する（図示しない）。
【００６８】
（５．２  機能）
図１０は、本実施形態における情報処理装置１００Ｃ、１００Ｄと、通信端末２００の機能ブロック図である。
【００６９】
本実施形態における情報処理装置１００Ｃ、１００Ｄは、新たに無線通信部１１２を有する。無線通信部１１２は、上述した無線通信装置（図示しない）の処理により実現され、通信端末２００から、無線通信により、位置情報を受信する。また、情報処理装置１００Ｃ、１００Ｄの放送局選択部１０３Ａは、無線通信部１１２から位置情報を受け取る。
【００７０】
本実施形態における通信端末２００は、無線通信部２０１と、位置情報取得部２０２を有する。
【００７１】
無線通信部２０１は、位置情報取得部２０２が取得した位置情報を、無線通信により、情報処理装置１００Ｃ、１００Ｄへと送信する。
【００７２】
位置情報取得部２０２は、ＧＰＳ衛星又はＩＭＥＳ送信機から送信された測位信号を受信し、通信端末２００の現在位置を表す位置情報（緯度及び経度）を取得する。位置情報取得部２０２は、取得した位置情報を、無線通信部２０１に渡す。なお、位置情報取得部２０２は、任意のタイミングで、繰り返し、位置情報を取得してもよい。
【００７３】
以上の機能により、位置情報を取得する手段を有さない情報処理装置１００Ｃ、１００Ｄは、通信端末２００を介して、位置情報を受信し、その位置情報に基づいて、放送局を選局し、緊急信号を受信することができる。
【００７４】
（５．３  動作例）
図１１は、本実施形態における情報処理装置１００Ｃ、１００Ｄと通信端末２００の動作例を表すシーケンス図である。ここでは、図９で用いた例と同様に、放送局「肥後小国」から電波放送を受信中の情報処理装置１００Ｃ、１００Ｄ及び通信端末２００が、緯度「３２．９５００」、経度「１３１．１２３０」の地点に移動した場合の例を用いる。
【００７５】
まず、通信端末２００の位置情報取得部２０２は、ＧＰＳ衛星又はＩＭＥＳ送信機等から取得した、現在の位置を表す位置情報（緯度「３２．９５００」、経度「１３１．１２３０」）を、無線通信部２０１に渡す（ステップＳ４０１）。無線通信部２０１は、受け取った位置情報を、情報処理装置１００Ｃ、１００Ｄに送信する（ステップＳ４０２）。
【００７６】
情報処理装置１００Ｃ、１００Ｄの無線通信部１１２は、ステップＳ４０２で通信端末２００から送信された位置情報を受け取り、その位置情報を、放送局選択部１０３Ａに渡す（ステップＳ４０３）。
【００７７】
以後、情報処理装置が、放送局のリストを読み込み、距離の近い順に放送局を選局して、一定の受信品質を満たす場合に、その放送局からの放送を出力するステップＳ４０４−Ｓ４２５は、図９のステップＳ３０２−Ｓ３２３と同様である。その結果、放送局「蘇陽」が選択され、その放送が出力される。
【００７８】
以上の動作により、本実施形態における情報処理装置１００Ｃ、１００Ｄは、自らが位置情報を取得する機能を備えていない場合であっても、通信端末２００が取得した位置情報を利用して、放送局を選択できる。また、一定の品質以上の放送局を選択することにより、ユーザは、緊急信号をより確実に認識することができる。
【００７９】
（６．  変形例２）
次に、図１２−図１４を用いて、さらに異なる実施形態を説明する。本実施形態における情報処理装置１００Ｅは、自ら取得した位置情報に基づいて放送局を選択する。しかしながら、情報処理装置１００Ｅは、上述した実施形態と異なり、放送局リストを内部に保持しない。そのため、情報処理装置１００Ｅは、選択すべき放送局の候補を、ネットワークを介して、情報提供装置３００より取得する。情報処理装置１００Ｅは、上述した情報処理装置１００Ｂ（携帯電話）に対応する。
【００８０】
（６．１  ハードウェア構成）
本実施形態における情報処理装置１００Ｅは、図３で示した情報処理装置００Ｂと同様のハードウェア構成を有する。また、本実施形態における情報提供装置３００は、インターネットや携帯電話ネットワークを介してアクセス可能な、一以上のコンピュータである。
【００８１】
（６．２  機能）
図１２は、本実施形態における情報処理装置１００Ｅ及び情報提供装置３００（両者を合わせて情報処理システムと呼ぶ）の機能ブロック図である。
【００８２】
本実施形態における情報処理装置１００Ｅの放送局選択部１０３Ｂは、図３に示されるＣＰＵ２１、電波放送受信装置２４及び無線通信装置２６の処理により実現される。放送局選択部１０３Ｂは、位置情報取得部１０２から位置情報を受け取った後、当該位置情報を、情報提供装置３００に渡す。そして、情報提供装置３００から、放送局の候補を受け取る。放送局選択部１０３Ｂは、受け取った放送局の候補の中から、上述したように、一定の条件（距離が近く、通信品質が閾値以上）を満たす放送局を選択する。
【００８３】
本実施形態における情報提供装置３００は、放送局リスト記憶部３０１と、候補選定部３０２と、距離算出部３０３とを有する。
【００８４】
放送局リスト記憶部３０１は、図４に示される放送局リスト記憶部１０１と同様に、放送局のリストである放送局リスト（図５）を記憶する。
【００８５】
候補選定部３０２は、情報処理装置１００Ｅから位置情報を受け取ると、放送局リスト記憶部１０１に記憶された放送局リストを読み込む。次に、候補選定部３０２は、受け取った位置情報が示す緯度、経度から、所定の範囲内（例えば、緯度±０．５度、経度±０．５度）にある放送局を特定する。次に、候補選定部３０２は、現在の位置情報と、特定した放送局の位置情報を、距離算出部３０３に渡し、現在の位置から、特定した各放送局までの距離を取得する。次に、候補選定部３０２は、各放送局までの距離を比較し、距離（値）の短い順（現在位置から近い順）に、所定の個数の放送局を、候補として選定する。そして、候補選定部３０２は、選定した候補を、情報処理装置１００Ｅに通知する。
【００８６】
距離算出部３０３は、図４に示される距離算出部１０４と同様に、候補選定部３０２から受け取った、情報処理装置の現在位置を表す位置情報と、各放送局の位置を表す位置情報とを用いて、現在位置と各放送局との間の距離を算出する。
【００８７】
以上の機能により、本実施形態における情報処理装置１００Ｅは、自ら放送局リストを管理し、現在位置と放送局との間の距離を計算する必要がなくなる。その結果、放送局を選択する際に必要となる計算能力が低減される。また、放送局リストを格納する記憶領域が不要となる。
【００８８】
（６．３  動作例）
次に、図１３、図１４を用いて、本実施形態における情報処理システムの動作例を説明する。
【００８９】
（情報処理装置の処理フロー（移動直後））
図１３は、本実施形態における情報処理装置１００Ｅが、ユーザによって移動された後に、新たな位置情報に対応する放送局を選択する処理のフローチャートである。
【００９０】
位置情報取得部１０２は、ＧＰＳ衛星又はＩＭＥＳ送信機等から送信された測位信号により、情報処理装置１００の現在位置を表す位置情報を取得する（ステップＳ５０１）。次に、放送局選択部１０３は、ステップＳ５０２で取得した位置情報を、情報提供装置３００に送信する（ステップＳ５０２）。そして、放送局選択部１０３は、情報提供装置３００によって生成された、放送局の候補を取得する（ステップＳ５０３）。
【００９１】
以後、一定の品質で放送を受信可能な放送局を選択し、そのような放送局が存在しない場合にはエラーを出力するステップＳ５０４−Ｓ５１２は、図７のステップＳ１０６−Ｓ１１４と同様である。
【００９２】
以上の処理により、情報処理装置１００Ｅは、放送局リストを用いて、現在位置から各放送局までの距離を算出することなく、品質の良い放送を受信可能な放送局を選択し、緊急信号を受信することができる。
【００９３】
（情報処理装置の処理フロー（移動なし））
本実施形態における情報処理装置１００Ｅが移動していない間の処理のフローチャートは、図８と同様である。
【００９４】
（情報処理装置の動作シーケンス）
図１４は、本実施形態における情報処理装置１００Ｅ及び情報提供装置３００の動作例を表すシーケンス図である。ここでは、図９で用いた例と同様に、放送局「肥後小国」から電波放送を受信中の情報処理装置１００Ｃ、１００Ｄ及び通信端末２００が、緯度「３２．９５００」、経度「１３１．１２３０」の地点に移動した場合の例を用いる。
【００９５】
まず、情報処理装置１００Ｅの位置情報取得部１０２は、ＧＰＳ衛星又はＩＭＥＳ送信機等から取得した現在の位置を表す位置情報（緯度「３２．９５００」、経度「１３１．１２３０」）を、放送局選択部１０３Ｂに渡す（ステップＳ６０１）。放送局選択部１０３Ｂは、受け取った位置情報を、情報提供装置３００に送信する（ステップＳ６０２）。
【００９６】
情報提供装置３００の候補選定部３０２は、ステップＳ６０２で送信された位置情報を受け取ると、放送局リスト記憶部３０１に記憶された放送局リスト（図５）を読み込む（ステップＳ６０３）。そして、候補選定部３０２は、ステップＳ６０２で受け取った位置情報が示す緯度、経度から、所定の範囲内（例えば、緯度±０．２度、経度±０．２度）にある放送局を特定する（ステップＳ６０４）。ここでは、緯度が「３２．７５００〜３３．１５００」、経度が「１３０．９２３０〜１３１３２３０」の範囲にある、以下の放送局が特定される。
−肥後小国：緯度３３．１１８２、経度１３１．０７０５
−阿蘇    ：緯度３２．９４８５、経度１３１．１２３３
−蘇陽    ：緯度３２．８５１５、経度１３１．１４２４
次に、候補選定部３０２は、ステップＳ６０２で受け取った、情報処理装置１００Ｅの現在位置を表す位置情報と、ステップＳ６０４で特定した放送局の位置を表す位置情報を、距離算出部３０３に渡す（ステップＳ６０５）。距離算出部３０３は、例えば、現在位置を表す位置情報と、各放送局の位置を表す位置情報との、緯度差の２乗と、経度差の２乗とを足し合わせた値を、距離を表す値として算出する（ステップＳ６０６）。ここでは、各放送局に対して、以下の値が算出される（小数点第四位四捨五入）。
−肥後小国：０．０３１
−阿蘇    ：０．０００
−蘇陽    ：０．０１０
距離算出部３０３は、算出したこれらの値を、候補選定部３０２に返す（ステップＳ６０７）。
【００９７】
候補選定部３０２は、ステップＳ６０７で受け取った、各放送局までの距離を比較し、距離の短い順（現在位置から近い順）に、所定の個数（例えば、最大５個とする）の放送局を、放送局の候補として選定する（ステップＳ６０８）。ここで、選定された放送局の候補は、以下の通りである。
１．  阿蘇
２．  蘇陽
３．  肥後小国
そして、候補選定部３０２は、上記の候補を、情報処理装置１００Ｅに送信する（ステップＳ６０９）。
【００９８】
以後、情報処理装置１００Ｅが、距離の近い順に放送局を選局して、一定の受信品質を満たす場合に、その放送局からの放送を出力するステップＳ６１０−Ｓ６２５は、図９のステップＳ３０８−Ｓ３２３と同様である。その結果、放送局「蘇陽」が選択され、その放送が出力される。
【００９９】
以上の動作により、本実施形態における情報処理装置１００Ｅは、情報提供装置３００から提供される放送局の候補のうち、現在位置に応じて適切に選択された放送局を選択して、緊急信号を受信できる。
【符号の説明】
【０１００】
１００、１００Ａ、１００Ｂ、１００Ｃ、１００Ｄ、１００Ｅ  情報処理装置
１０１  放送局リスト記憶部
１０２  位置情報取得部
１０３、１０３Ａ、１０３Ｂ  放送局選択部
１０４  距離算出部
１０５  受信品質取得部
１０６  電波放送受信部
１０７  電波放送出力部
１０８  情報出力部
１０９  緊急信号検出部
１１０  音量調整部
１１１  入力部
１１２  無線通信部
２００  通信端末
２０１  無線通信部
２０２  位置情報取得部
３００  情報提供装置
３０１  放送局リスト記憶部
３０２  候補選定部
３０３  距離算出部
４００  ＩＭＥＳ送信機
５００  ＧＰＳ衛星
６００、６００−１、６００−２  放送局
【先行技術文献】
【特許文献】
【０１０１】
【特許文献１】特開２０１１−２２７８０８号公報
【図１】
2015062111.tif 000003
【図２】
2015062111.tif 000004
【図３】
2015062111.tif 000005
【図４】
2015062111.tif 000006
【図５】
2015062111.tif 000007
【図７】
2015062111.tif 000008
【図８】
2015062111.tif 000009
【図９】
2015062111.tif 000010
【図１０】
2015062111.tif 000011
【図１１】
2015062111.tif 000012
【図１２】
2015062111.tif 000013
【図１３】
2015062111.tif 000014
【図１４】
2015062111.tif 000015
【図６】
2015062111.tif 000016